(57)【要約】  ソフトパッケージ（１）、有利にはフィルム袋にはスクリュークロージャ（２）が取り付けられている。このようなスクリュークロージャは、ソフトパッケージ（１）に結合するための取付けフランジ（４）を有した注出口から成る第１の部分と、スクリューキャップ（５）の形の第２の部分とから成っている。スクリューキャップは、上面（５０）と、下方領域に設けられた雌ねじ山（５２）を備えた周壁（５１）とを有している。雌ねじ山の上方にねじ山のない区分（５３）があり、このねじ山のない区分の上方領域にはスライドシール（１０）が配置されている。スライドシール（１０）は、注出口の雄ねじ山（６）の上方にある同様にねじ山のない領域（７）を押圧する。これによりねじ外し中もシールされているスクリュークロージャが実現される。
2013525223.tif 000002
【特許請求の範囲】
【請求項１】
容器のためのスクリュークロージャ（２）であって、雄ねじ山（６）を備えた注出口（３）と、該注出口（３）に螺合により装着可能なキャップ（５）とを有しており、該キャップ（５）は雌ねじ山（５２）を備えた周壁（５１）と上面（５０）とを有しており、注出口（３）の前記雄ねじ山（６）の上方にねじ山のない壁領域（７）が設けられており、該ねじ山のない壁領域（７）は、キャップ（５）の周壁（５１）の内面に配置された環状のスライドシール（１０）のためのスライド面として働いており、スライドシール（１０）は雌ねじ山（５２）の上側で周壁（５１）の内面に一体成形されている形式のものにおいて、
前記容器がフィルム袋（１）であって、雄ねじ山（６）を備えた注出口（３）が、フィルム袋（１）上に取り付けられている取付けフランジ（４）を端部に備えた管状の部分から成っており、前記スライド面とスライドシールとは、キャップ（５）の雌ねじ山（５２）が注出口（３）の雄ねじ山（６）にもはや螺合しなくなり、キャップのねじ外し運動の際に使用者によりフィルム袋に加えられる変形力がなくなるまで、シール結合していることを特徴とする、容器のためのスクリュークロージャ。
【請求項２】
ソフトパッケージ、即ち請求項１記載のフィルム袋のためのスクリュークロージャにおいて、
キャップ（５）の雌ねじ山（５２）の上方にねじ山のない壁領域が設けられており、該ねじ山のない壁領域は、注出口の外面に、注出口の雄ねじ山に対して間隔を置いて上方に配置された環状のスライドシールのためのスライド面として働くことを特徴とする、ソフトパッケージのためのスクリュークロージャ。
【請求項３】
スライドシールが、エプロンの形のＬ字型シールである、請求項１又は２記載のスクリュークロージャ。
【請求項４】
スライドシール（１０）が、スクリューキャップ（５）の装着状態で、前記周壁（５１）の下縁部（５５）に向かって傾けられて方向付けられている、請求項１又は２記載のスクリュークロージャ。
【請求項５】
スライドシール（１０）が装着状態で、キャップ（５）の上面（５０）の方向に向かって傾けられて方向付けられている、請求項１又は２記載のスクリュークロージャ。
【請求項６】
注出口（３）の内面に付加的に雌ねじ山（２２）が配置されていて、該雌ねじ山には、雄ねじ山（２５）を備えた環状の切断エレメント（２０）が、並進的に連行体（２３）と一緒に運動可能であるように配置されており、連行体（２３）は、キャップ（５）の上面（５０）に設けられた第２の連行体（２４）を介して運動可能であって、キャップ（５）のねじり運動によって、下方エッジがフィルム袋のフィルムに向けられていて少なくとも１つの切断歯（２１）を有した切断エレメント（２０）が、該切断歯でフィルム袋のフィルムを切開することができる、請求項１又は２記載のスクリュークロージャ。
【請求項７】
キャップ（５）の周壁（５１）と上面（５０）との間の角隅領域に、少なくとも１つシール突起（５４）の形で付加的なシール部材が設けられており、該シール部材は、スクリュークロージャ（２）が閉じられた状態で、注出口（３）の端面にシールするように当接する、請求項１又は２記載のスクリュークロージャ。
【請求項８】
スライドシール（１０）の半径方向の延在が、キャップ（５）の周壁（５１）の内面から注出口（３）の外面までの間隔よりも大きい、請求項１又は２記載のスクリュークロージャ。
【発明の詳細な説明】
【技術分野】
【０００１】
本発明は、ソフトパッケージ、即ちフィルム袋のためのスクリュークロージャであって、フィルム袋に取り付けられた、雄ねじ山と取付けフランジとを備えた注出口と、該注出口にねじ込み可能なキャップとから成っており、該キャップは周壁と上面とを有している形式のものに関する。
【０００２】
ガラス瓶やプラスチックボトルのような硬質のパッケージのためのスクリュークロージャは広く公知である。このような従来の硬質のパッケージでは実質的に、スクリュークロージャは完全な閉鎖状態におけるシール機能のみを保証すれば良い。これは種々の形式のシールにより行われる。この場合、特に、周壁と上面の内側との間の角隅領域に配置されたシールエレメントを有するシールが使用される。このようなシールの典型的な例は、ＷＯ−Ａ９０１１９４４又はＷＯ−Ａ９０１１２３２、ＷＯ−Ａ９７３１８３４に示されている。スクリュークロージャにおけるシールの別のタイプはいわゆるシールオリーブ（Dichtolive）であって、これは主として、スクリューキャップの周壁に対して同心的に延びるリング壁として形成されており、このリング壁は垂直に下方に向けられて、キャップ上面の内側に一体成形されており、容器ネック若しくは注出口を内側でシールしている。このようなシールオリーブの典型例は、ＤＥ−Ａ４４０１７５１又はＵＳ−Ａ４２５３５８１に開示されている。上記両タイプの組み合わせも公知であり、例えば、ＥＰ−Ａ４１７５５４に開示されている。
【０００３】
フィルム袋の形のソフトパッケージでは、注出口は別個の部分として形成されて、実際に円筒状で管状の注出口から成っており、これに一体成形されたフランジを有しており、このフランジによりスクリュークロージャのこの部分がソフトパッケージに固定されている。スクリュークロージャのこのような形態では、原則的に２つの異なる形式が公知である。即ち１つは、注出口の領域でソフトパッケージのフィルムに孔が打ち抜かれており、この孔が直接、注出口と連通接続している形式である。この場合、前記フランジは打ち抜かれたこの孔の周りに接着又は溶接されている。第２の形式では、フィルム袋が完全に閉鎖されており、注出口の内壁に付加的に雌ねじ山が配置されており、この雌ねじ山に環状の切断エレメントが並進的に可動に配置されていて、この切断エレメントは、キャップの上面に設けられた連行体を介して運動可能であり、キャップのねじり運動により、下方エッジでフィルム袋のフィルムに向けられて少なくとも１つの切断歯を有する切断エレメントが、切断歯によってフィルム袋のフィルムを切開可能である。このような形式の典型例はＣＨ−Ａ６９５０１９号又はＥＰ−Ａ１７９５４５６号、その他の文献により公知である。
【０００４】
フィルム袋におけるこのような両タイプのスクリュークロージャでは、スクリューキャップにさらに付加的に保証帯を設けることができる。
【０００５】
多数回にわたるスクリューキャップの開放ねじり運動は比較的高い摩擦力の克服を要するので、使用者はソフトパッケージを比較的高い力で保持しなければならず、この間にキャップをねじって開放する。このような高い保持力によりソフトパッケージは変形し、ソフトパッケージ内の内圧は高くなる。周壁と上面との間の角隅領域に取り付けられた通常のシールを有するスクリューキャップが僅かにでも開放されると、このシールはもはや機能しない。このようなことは硬質のパッケージでは問題にならないが、ソフトパッケージにおいては大きな問題である。何故ならば、クロージャを完全に開放するために使用者はひき続き力を加えなければならず、今や上記シールは働かないので、内容物が、僅かな量であったとしても外部に押し出されてしまうからである。このようなことは美観を損ねるものでありかつ非衛生的であり、しばしば、その後一緒にねじ込もうものならクロージャがくっついてしまうこともある。
【０００６】
内側に延びる切断エレメントを有さない単純なスクリュークロージャであるならば、原理的には、注出口内に十分深く突入したシールオリーブによってシールを維持することが考えられる。しかしながらスクリュークロージャに内部の切断エレメントを設けるならばこのような形式のシールは不可能である。ＤＥ−Ａ３９３８７１３に記載のシール部材もこれに関しては何も手段を示していない。このような手段では、スクリューキャップの上面の下側に２つの同心的な環状壁が配置されていて、この環状壁は両側で、即ち内側と外側とで、スライドシールとして注出口に密着している。このような手段は、切断エレメントを有したスクリュークロージャではやはり実現不可能である。幾分、変わった手段が米国特許ＵＳ−Ａ４３７１０９１により公知である。この公知の手段では、スクリューキャップの周壁に、雌ねじ山のすぐ上側で環状のシール突起が一体成形されており、このシール突起は完全にねじ締められた状態では、注出口の上縁部の領域で直接接触し、この縁部を僅かに越えて下方に延びることができる。このような手段でも、シール部材は、僅かな開放回転角度において既に係合しなくなり、結果として、ここで問題としている使用のためにはやはり使えない。１９６０年代には、高い精度を有したプラスチッククロージャは未だ殆ど製造されなかった。しかしながら当時の、特に湾曲されたリング状のシールリップから成っていてキャップ上面下側に取り付けられたスクリュークロージャのシール部材は、これを完全に離型可能とするために高い精度が必要であった。このような理由から、ＧＢ−Ａ１２０５８８７で提案された手段では、注出口の上端部にスライド面が設けられ、このスライド面に、スクリューキャップの内面、雌ねじ山の上側に設けられたリング状のシール突起が密接するようになっている。これは瓶であるので、シール部材は主として、閉鎖状態でクロージャをシールする目的を有する。所定の開放ねじり運動後に、シール部材はもはや注出口と係合していないが、このような係合は公知のように瓶でも不要である。
【０００７】
ＤＥ−１９３５８７４Ｕにより公知の手段は、極めて類似した形式でありながら構成が極めて複雑である。この場合、実際にただ一度回動した後は既にもはやシールされなくなるが、このようなことは既に述べたとおり、比較的硬質の瓶では問題ではない。
【０００８】
従って本発明の課題は、冒頭で述べた形式のソフトパッケージのためのスクリュークロージャを改良して、ソフトパッケージに高い圧力がかけられた場合でも、スクリュークロージャの閉鎖が、ねじ外し運動が完全に終了するまで、必要なシール性を保証することができるようにすることである。
【０００９】
この場合、この手段は、注出口がソフトパッケージの既存の開口を介して取り付けられる従来のスクリュークロージャにも、完全に無菌状態で閉鎖され、スクリュークロージャの開放時にソフトパッケージを切開する切断エレメントを注出口において内部で有するソフトパッケージにも使用可能である。
【００１０】
添付の図面には本発明の２つの実施例が概略的に示されており、以下に詳しく説明する。
【図面の簡単な説明】
【００１１】
【図１】ソフトパッケージにおけるスクリュークロージャの取り扱いの様子を示した斜視図である。
【図２】切断エレメントを有さない本発明によるスクリュークロージャの直径上の垂直断面図である。
【図３】切断エレメントを有する本発明によるスクリュークロージャの第２実施例を完全閉鎖位置で示した、同じく直径上の垂直断面図である。
【図４】注出口のねじ山とスクリューキャップのねじ山とがまだ螺合している、部分的に開放された中間位置にある図３と同じスクリュークロージャを示した図である。
【図５】スクリューキャップが、上記ねじ山はもはや螺合していないがまだシール状態が存在しているところまで開放されている、同じスクリュークロージャを示した図である。
【図６】完全開放位置にある本発明によるスクリュークロージャを示した図である。
【００１２】
図１には、ソフトパッケージ１に取り付けられているスクリュークロージャを開放する際のねじ外し状態が示されている。ソフトパッケージはラミネート加工されたカートンパッケージであって良いが、この実施例では、図１で示したようなフィルム袋が特に重要である。フィルム袋１を開放する際、使用者はチューブを一方の手で保持すると同時に他方の手でスクリュークロージャ２をねじって開放する。この場合、使用者はフィルム袋に力Ｆを加える。この力によりフィルム袋において内圧が高められる。スクリュークロージャ２が従来の構成であるならば、内圧が高まると、液体が注出口とスクリューキャップ５との間へと流出する恐れがある。本発明による手段はこのような場合の対策を提供する。
【００１３】
図２には、本発明の第１の実施形態が示されている。スクリュークロージャ全体には符号２が付与されている。この図において、一方はスクリューキャップ５であって、他方は管状で円筒状の注出口３から成る下方部分であると理解される。注出口３の下縁部には、半径方向で突出するフランジ４が一体成形されている。管状の注出口３の外面には雄ねじ山６が一体成形されている。雄ねじ山６より上方にはねじ山のない区分が注出口３に設けられていることがわかる。ねじ山のない区分７は有利には、少なくとも、雄ねじ山６が設けられている軸方向で延びる区分８と同じ長さである。
【００１４】
キャップ５は実質的に、スクリューキャップの一般的な構成を有している。キャップ５は上面５０を有しており、この上面には周壁５１が下方に向かって引き延ばされて続いている。周壁５１はほぼ円筒状に形成されている。周壁５１の下方の領域に雌ねじ山５２が設けられており、この雌ねじ山５２が、注出口３の上記雄ねじ山６に嵌合する点のみが通常とは異なっている。雌ねじ山５２の上方には、注出口３のねじ山のない区分７とほぼ同じ大きさの雌ねじ山のない領域５３が続いている。
【００１５】
上面５０と周壁５１との間の角隅領域には環状のシール突起５４が存在している。これらのシール突起５４はクロージャが閉じられた状態で、高い内圧負荷にも耐え得る静的シールを成している。
【００１６】
キャップ５の周壁５１の内面にはスライドシール１０が一体成形されている。このスライドシール１０は所定の押圧により注出口３の外面に密接する。
【００１７】
図２に示した実施例では、スクリューキャップ５は開放するために既にある程度ねじられている。スクリューキャップ５が完全に閉鎖されている位置にある場合は、シール突起５４は注出口３の上縁部の上に載置されていて、スライドシール１０は、雄ねじ山６の領域８のちょうど上側で注出口３に密着する。図示した位置ではキャップ５は、注出口３の雄ねじ山６とキャップ５の雌ねじ山５２の螺合がちょうど外れ始め、スライドシール１０は注出口３の外面にまだ密接しているところまでねじ外されている。
【００１８】
スライドシール１０の選択された形状は多くの選択肢のなかの一形態である。重要であるのは、スライドシール１０が所定の変形力のもとで密着させられることだけである。注出口３は離型のために所定の引張力を受けなければならないので、上縁部の内径は、フランジ４の領域における内径よりも僅かに小さい。しかしながらさらに、注出口３の壁厚さはフランジ４の領域から上縁部に向かって僅かに減少するので、全体として注出口３はねじ山のない区分７では幾分円錐状に延びており、スライドシール１０はこのような円錐形状に追従できなければならず、上方の領域においてもなお所定の押圧力により密着させられなければならない。
【００１９】
スライドシールが内方に大きく突出し過ぎていると、スクリューキャップの載着に問題が生じるので、図示した実施の形態の代わりに、スライドシールが、下方に向かう、即ちその可撓的な先端がフランジに向かう環状のエプロンの形状であっても有利である。選択的にスライドシールは、それ自体僅かな力を受容することができるいわゆるシールリップよりも繊細に形成することもできる。この場合、有利にはこのような環状のシールリップが複数設けられる。これらのシールリップは例えば実際に、周壁内面から垂直に突出することができ、載着の際はこれらは自動的に上に向かってアーチ形に湾曲する。これにより、シールリップに作用する内圧がシールリップをより強く注出口３に押し付けるという大きな利点が得られる。さらに複数のシールリップは、実質的にラビリンスシールと同様の作用をする。従って、ここには図示していないこのような手段は、このようなシールリップの繊細性にも関わらず、高い内圧を塞き止めることができる。実際には、このようなスクリューキャップを成形型から押し出すのには問題がある。しかしながら、このようなスクリューキャップにおいてキャップをまず全体的に型から取り出し、次いで、内部に突出したコアを引き出すという技術は長年、公知である。この場合、周壁５１を外方に向かってばね弾性的に動かすことができるので、雌ねじ山５２もスライドシール１０もコアの引き出しの際に損傷を受けることなく残される。
【００２０】
図３〜図６には再度、ソフトパッケージ１の上にあるスクリュークロージャ２が示されている。注出口３とそのフランジ４は雌ねじ山２２が設けられていること以外は図２の実施例と同じである。注出口３には既に上述した切断エレメント２０がねじ込み可能に支承されている。切断エレメント２０の内面に設けられた連行体２３は、キャップの上面５０から垂直に下方に向かって突出している第２の連行体２４のためのストッパとして働く。スクリューキャップ５をねじって開放する際に、注出口３の雌ねじ山２２において延びている切断エレメント２０の雄ねじ山２５が下方に向かって動き、この際に、少なくとも１つの切断歯２１がフィルムＦを切開する。この例ではさらに、図２に関して既に記載したのと同様にスライドシール１０が存在しており、スライドシール１０は図６に明確に示されている。特にこの実施例では、注出口３の内面におけるシールがここでは不可能であることが明らかである。しかしながら、既に記載した本発明による手段は、実質的には変更することなく、スクリューキャップのこのような実施例においても使用することができる。
【００２１】
このような実施例でも、図２の実施例と全く同様に、スクリューキャップ５に付加的に保証帯４０を設けることができる。この保証帯４０は、注出口３の環状のカラー３０の後方で形状接続的に雄ねじ山の下方に取り付けることができる。ねじ外す際に、目標破断個所ブリッジ４１によってスクリューキャップ５の下縁部５５に一体成形されている保証帯４０が裂断され、上記カラー３０の下側に残って引っ掛かっている。このような状態は図２の右側に示されており、左側には、確かに同様にカラー３０に後方から係合している保証帯４０が示されているが、この保証帯４０は例えば、剥ぎ取り舌片によって取り除かれ、この場合さらに、保証帯４０をスクリューキャップ５に結合している目標破断個所ブリッジが破壊される。図面には目標破断個所ブリッジに符号４１が付与されている。しかしながらこのような目標破断個所ブリッジは完全に分離された形状でのみ示されており、一方では保証帯４０に、他方ではスクリューキャップ５の下縁部５５に残留物として示されている。
【００２２】
原則的には本発明による手段は、スライドシール１０をキャップ５の周壁５１にではなく、注出口３の外面に設けることによっても実現可能である。この場合、２つの構成が考えられる。即ち、スライドシール１０をねじ山のすぐ上方に設ける構成、又は、注出口３の上縁部の領域に設ける構成である。第１の構成では、ねじ山の非平坦性を克服してシールするためにスライドシール１０を比較的長く形成しなくてはならない。第２の構成では、スライドシール１０は半径方向の延在において比較的短くすることができ、結果としてこの場合、複数のシールリップも考えられるが、第１の構成では、有利にはエプロン形状のスライドリングシールが有利である。
【符号の説明】
【００２３】
１  ソフトパッケージ若しくはフィルム袋、  ２  スクリュークロージャ、  ３  注出口、  ４  フランジ、  ５  キャップ／スクリューキャップ、  ６  雄ねじ山、  ７  ねじ山のない壁領域、  ８  ねじ山付き区分、  １０  スライドシール、  ２０  切断エレメント、  ２１  切断歯、  ２２  雌ねじ山、  ２３  連行体、  ２４  第２の連行体、  ２５  切断エレメントの雄ねじ山、  ３０  カラー、  ４０  保証帯、  ４１  目標破断個所ブリッジ、  ５０  上面、  ５１  周壁、  ５２  雌ねじ山、  ５３  雌ねじ山のない領域、  ５４  シール突起、  ５５  スクリューキャップの下縁部、  Ｐ  力
【図１】
2013525223.tif 000003
【図２】
2013525223.tif 000004
【図３】
2013525223.tif 000005
【図４】
2013525223.tif 000006
【図５】
2013525223.tif 000007
【図６】
2013525223.tif 000008
【手続補正書】
【提出日】平成24年11月2日(2012.11.2)
【手続補正１】
【補正対象書類名】明細書
【補正対象項目名】００１９
【補正方法】変更
【補正の内容】
【００１９】
スライドシールが内方に大きく突出し過ぎていると、スクリューキャップの載着に問題が生じるので、スライドシールが、下方に向かう、即ちその可撓的な先端がフランジに向かう環状のエプロンの形状となっている図示の実施の形態は有利である。選択的にスライドシールは、それ自体僅かな力を受容することができるいわゆるシールリップよりも繊細に形成することもできる。この場合、有利にはこのような環状のシールリップが複数設けられる。これらのシールリップは例えば実際に、周壁内面から垂直に突出することができ、載着の際はこれらは自動的に上に向かってアーチ形に湾曲する。これにより、シールリップに作用する内圧がシールリップをより強く注出口３に押し付けるという大きな利点が得られる。さらに複数のシールリップは、実質的にラビリンスシールと同様の作用をする。従って、ここには図示していないこのような手段は、このようなシールリップの繊細性にも関わらず、高い内圧を塞き止めることができる。実際には、このようなスクリューキャップを成形型から押し出すのには問題がある。しかしながら、このようなスクリューキャップにおいてキャップをまず全体的に型から取り出し、次いで、内部に突出したコアを引き出すという技術は長年、公知である。この場合、周壁５１を外方に向かってばね弾性的に動かすことができるので、雌ねじ山５２もスライドシール１０もコアの引き出しの際に損傷を受けることなく残される。
【手続補正２】
【補正対象書類名】特許請求の範囲
【補正対象項目名】全文
【補正方法】変更
【補正の内容】
【特許請求の範囲】
【請求項１】
容器のためのスクリュークロージャ（２）であって、雄ねじ山（６）を備えた注出口（３）と、該注出口（３）に螺合により装着可能なキャップ（５）とを有しており、該キャップ（５）は雌ねじ山（５２）を備えた周壁（５１）と上面（５０）とを有しており、注出口（３）の前記雄ねじ山（６）の上方にねじ山のない壁領域（７）が設けられており、該ねじ山のない壁領域（７）は、キャップ（５）の周壁（５１）の内面に配置された環状のスライドシール（１０）のためのスライド面として働いており、スライドシール（１０）は雌ねじ山（５２）の上側で周壁（５１）の内面に一体成形されている形式のものにおいて、
前記容器がフィルム袋（１）であって、雄ねじ山（６）を備えた注出口（３）が、フィルム袋（１）上に取り付けられている取付けフランジ（４）を端部に備えた管状の部分から成っており、前記スライド面とスライドシールとは、キャップ（５）の雌ねじ山（５２）が注出口（３）の雄ねじ山（６）にもはや螺合しなくなり、キャップのねじ外し運動の際に使用者によりフィルム袋に加えられる変形力がなくなるまで、シール結合していることを特徴とする、容器のためのスクリュークロージャ。
【請求項２】
ソフトパッケージ、即ち請求項１記載のフィルム袋のためのスクリュークロージャにおいて、
キャップ（５）の雌ねじ山（５２）の上方にねじ山のない壁領域（５３）が設けられており、該ねじ山のない壁領域（５３）は、注出口の外面に、注出口の雄ねじ山に対して間隔を置いて上方に配置された環状のスライドシールのためのスライド面として働くことを特徴とする、ソフトパッケージのためのスクリュークロージャ。
【請求項３】
スライドシールが、エプロンの形のＬ字型シールである、請求項１又は２記載のスクリュークロージャ。
【請求項４】
スライドシール（１０）が、スクリューキャップ（５）の装着状態で、前記周壁（５１）の下縁部（５５）に向かって傾けられて方向付けられている、請求項１又は２記載のスクリュークロージャ。
【請求項５】
スライドシール（１０）が装着状態で、キャップ（５）の上面（５０）の方向に向かって傾けられて方向付けられている、請求項１又は２記載のスクリュークロージャ。
【請求項６】
注出口（３）の内面に付加的に雌ねじ山（２２）が配置されていて、該雌ねじ山には、雄ねじ山（２５）と連行体（２３）とを備えた環状の切断エレメント（２０）が運動可能であるように配置されており、連行体（２３）は、キャップ（５）の上面（５０）に設けられた第２の連行体（２４）を介して運動可能であって、キャップ（５）のねじり運動によって、下方エッジがフィルム袋のフィルムに向けられていて少なくとも１つの切断歯（２１）を有した切断エレメント（２０）が、該切断歯でフィルム袋のフィルムを切開することができる、請求項１又は２記載のスクリュークロージャ。
【請求項７】
キャップ（５）の周壁（５１）と上面（５０）との間の角隅領域に、少なくとも１つシール突起（５４）の形で付加的なシール部材が設けられており、該シール部材は、スクリュークロージャ（２）が閉じられた状態で、注出口（３）の端面にシールするように当接する、請求項１又は２記載のスクリュークロージャ。
【請求項８】
スライドシール（１０）の半径方向の延在が、キャップ（５）の周壁（５１）の内面から注出口（３）の外面までの間隔よりも大きい、請求項１又は２記載のスクリュークロージャ。
【国際調査報告】
2013525223.tif 000009
2013525223.tif 000010
2013525223.tif 000011
2013525223.tif 000012